(57)【特許請求の範囲】
【請求項１】
基礎地盤の掘下げ部を地盤改良して形成された底部地盤改良体と、
該底部地盤改良体上の盛土を地盤改良して形成され、法面が連続するように順次積み重ねられた上下複数の地盤改良体からなる擁壁部地盤改良体と、
前記上下複数の地盤改良体の背面側の盛土を掘り下げて裏込め材を充填して形成された、前記擁壁部地盤改良体の背面に接して上下方向に延びる透水層と、
該透水層から前記擁壁部地盤改良体の法面まで延び、前記擁壁部地盤改良体の背面側の水を正面側へ排水する排水管と、
前記擁壁部地盤改良体の法面及び上面並びに前記透水層の上面を保護する保護部材と、
からなり、
前記底部地盤改良体及び擁壁部地盤改良体の上下の地盤改良体間の接合面を前上がり傾斜面としてなることを特徴とする地盤改良体からなる擁壁の構造。
【請求項２】
基礎地盤の表層部を掘り下げ、該掘下げにより取った土に固化材を添加混合して埋め戻して敷き均し、締め固めることにより、底部地盤改良体を形成する工程と、
後側地盤の法面から所望の擁壁法面にわたって前方へ延びる段状の盛土を行う工程、該段状の盛土を下位地盤改良体の上面まで掘り下げる工程、該掘下げにより取った土に固化材を添加混合して埋め戻して敷き均し、締め固めるとともに、法勾配を整形することにより上位地盤改良体を形成する工程、該上位地盤改良体の形成前又は形成途中において、その法面から背面まで延びる排水管を布設する工程、及び、前記上位地盤改良体の背面側の盛土を掘り下げて裏込め材を充填する工程、を繰り返して、法面が連続するように順次積み重ねられた上下複数の地盤改良体からなる擁壁部地盤改良体、該擁壁部地盤改良体の背面に接して上下方向に延びる透水層及び前記擁壁部地盤改良体の背面側の水を正面側へ排水する排水管を、前記底部地盤改良体上に構築する工程と、
前記擁壁部地盤改良体の法面及び上面並びに前記透水層の上面の保護工を行う工程と、
からなることを特徴とする地盤改良体からなる擁壁の施工方法。
【発明の詳細な説明】
【技術分野】
【０００１】
本発明は、土留め用の擁壁の構造及びその施工方法に関わり、更に詳しくは、コンクリート製擁壁を代替する地盤改良体からなる擁壁の構造及びその施工方法に関するものである。
【背景技術】
【０００２】
法面の崩壊を防ぐ土留め擁壁としてコンクリート製擁壁が広く用いられており、重力式コンクリート擁壁として、施工現場に組んだ型枠内に鉄筋を配設し、コンクリートを打設して構築するもの（以下において「現場打ちコンクリート方式」という。）、及び、施工現場の上下左右にプレキャストコンクリートブロックを積み上げ、これらブロックの上下に連通する空隙部に鉄筋を配設し、前記空隙部にコンクリートを充填して構築するもの（以下において「プレキャストコンクリートブロック積み上げ方式」という。例えば、特許文献１参照。）、Ｌ型コンクリート擁壁として、竪壁及び底板からなるプレキャスト成形品である鉄筋コンクリート製擁壁ブロックを、そのまま施工現場に並設するもの（以下において「Ｌ型コンクリートブロック並設方式」という。例えば、特許文献２参照。）等がある。
【０００３】
【特許文献１】特開２００５−９８０９３号公報（図１）
【特許文献２】登録実用新案第３０２２０７２号公報（図１、図６）
【発明の開示】
【発明が解決しようとする課題】
【０００４】
現場打ちコンクリート方式では、型枠の組立作業、型枠内に鉄筋を配設する作業及び生コンクリート固化後における型枠の解体作業が必要であり、作業が繁雑であることから工期が長くなるとともに、型枠工等の技能工が必要になる。
また、プレキャストコンクリートブロック積み上げ方式では、ブロックの形状が大きい場合には施工時にブロックを吊り上げる重機が必要になり、ブロックの形状が小さい場合には１個ずつブロックを積み上げる作業に時間がかかり、ブロックの形状が大きい場合及び小さい場合のいずれにおいても、上下左右に積み上げたブロックの上下に連通する空隙部に鉄筋を配設してコンクリートを充填する現場作業が必要になる。
さらに、Ｌ型コンクリートブロック並設方式では、擁壁ブロックの形状及び重量が大きいため施工現場への運搬及び施工時にブロックを吊り上げる大型の重機が必要になるとともに、隣接する擁壁ブロックを連結固定する連結金具等が必要になる。
以上のように、コンクリート製擁壁では、施工に時間がかかるとともに施工コストが増大するという問題がある。
【０００５】
そこで本発明が前述の状況に鑑み、解決しようとするところは、上述のコンクリート製擁壁の問題点を解消して施工作業を容易化することができる、地盤改良体からなる擁壁の構造及びその施工方法を提供する点にある。
【課題を解決するための手段】
【０００６】
本発明に係る地盤改良体からなる擁壁の構造は、前記課題解決のために、基礎地盤の掘下げ部を地盤改良して形成された底部地盤改良体と、該底部地盤改良体上の盛土を地盤改良して形成され、法面が連続するように順次積み重ねられた上下複数の地盤改良体からなる擁壁部地盤改良体と、前記上下複数の地盤改良体の背面側の盛土を掘り下げて裏込め材を充填して形成された、前記擁壁部地盤改良体の背面に接して上下方向に延びる透水層と、該透水層から前記擁壁部地盤改良体の法面まで延び、前記擁壁部地盤改良体の背面側の水を正面側へ排水する排水管と、前記擁壁部地盤改良体の法面及び上面並びに前記透水層の上面を保護する保護部材とからなり、前記底部地盤改良体及び擁壁部地盤改良体の上下の地盤改良体間の接合面を前上がり傾斜面としてなるものである。
【００１０】
本発明に係る地盤改良体からなる擁壁の施工方法は、前記課題解決のために、基礎地盤の表層部を掘り下げ、該掘下げにより取った土に固化材を添加混合して埋め戻して敷き均し、締め固めることにより、底部地盤改良体を形成する工程と、後側地盤の法面から所望の擁壁法面にわたって前方へ延びる段状の盛土を行う工程、該段状の盛土を下位地盤改良体の上面まで掘り下げる工程、該掘下げにより取った土に固化材を添加混合して埋め戻して敷き均し、締め固めるとともに、法勾配を整形することにより上位地盤改良体を形成する工程、該上位地盤改良体の形成前又は形成途中において、その法面から背面まで延びる排水管を布設する工程、及び、前記上位地盤改良体の背面側の盛土を掘り下げて裏込め材を充填する工程、を繰り返して、法面が連続するように順次積み重ねられた上下複数の地盤改良体からなる擁壁部地盤改良体、該擁壁部地盤改良体の背面に接して上下方向に延びる透水層及び前記擁壁部地盤改良体の背面側の水を正面側へ排水する排水管を、前記底部地盤改良体上に構築する工程と、前記擁壁部地盤改良体の法面及び上面並びに前記透水層の上面の保護工を行う工程とからなるものである。
【発明の効果】
【００１１】
本発明に係る地盤改良体からなる擁壁の構造は、基礎地盤の掘下げ部を地盤改良して形成された底部地盤改良体と、該底部地盤改良体上の盛土を地盤改良して形成され、法面が連続するように順次積み重ねられた上下複数の地盤改良体からなる擁壁部地盤改良体と、前記上下複数の地盤改良体の背面側の盛土を掘り下げて裏込め材を充填して形成された、前記擁壁部地盤改良体の背面に接して上下方向に延びる透水層と、該透水層から前記擁壁部地盤改良体の法面まで延び、前記擁壁部地盤改良体の背面側の水を正面側へ排水する排水管と、前記擁壁部地盤改良体の法面及び上面並びに前記透水層の上面を保護する保護部材とからなり、前記底部地盤改良体及び擁壁部地盤改良体の上下の地盤改良体間の接合面を前上がり傾斜面としてなるので、地盤改良により形成された底部地盤改良体により地盤改良により形成された擁壁部地盤改良体を支持し、該擁壁部地盤改良体により土圧を受ける構成であることから、現場打ちコンクリート方式のような型枠の組立作業及び解体作業等が不要になるため、作業を簡素化することができるとともに、型枠工等の技能工が不要になる。
その上、プレキャストコンクリートブロック積み上げ方式のようなブロックを吊り上げる重機が不要になるとともに、上下左右に積み上げたブロックの上下に連通する空隙内への配筋及びコンクリートの充填作業が不要になる。
その上さらに、Ｌ型コンクリートブロック並設方式のようなブロックを吊り上げる大型の重機が不要になるとともに、隣接する擁壁ブロックを連結固定する連結金具も不要になる。
よって、擁壁を構築する工期を短縮することができるとともに、施工コストを低減することができる。
【００１３】
その上、前記底部地盤改良体及び擁壁部地盤改良体の上下の地盤改良体間の接合面を前上がり傾斜面としてなるので、上側の地盤改良体がその重力により前上がり傾斜面に沿って背面側へ移動する方向の分力が作用し、したがってより大きな土圧に対抗することができることから、地盤改良体の前後方向の長さを小さくすることができるため、地盤改良を行う範囲を小さくすることができる。
よって、盛土の掘削範囲及び地盤改良体の量を削減することができるため、さらに工期の短縮及び施工コストの削減を図ることができる。
【００１５】
本発明に係る地盤改良体からなる擁壁の施工方法は、基礎地盤の表層部を掘り下げ、該掘下げにより取った土に固化材を添加混合して埋め戻して敷き均し、締め固めることにより、底部地盤改良体を形成する工程と、後側地盤の法面から所望の擁壁法面にわたって前方へ延びる段状の盛土を行う工程、該段状の盛土を下位地盤改良体の上面まで掘り下げる工程、該掘下げにより取った土に固化材を添加混合して埋め戻して敷き均し、締め固めるとともに、法勾配を整形することにより上位地盤改良体を形成する工程、該上位地盤改良体の形成前又は形成途中において、その法面から背面まで延びる排水管を布設する工程、及び、前記上位地盤改良体の背面側の盛土を掘り下げて裏込め材を充填する工程、を繰り返して、法面が連続するように順次積み重ねられた上下複数の地盤改良体からなる擁壁部地盤改良体、該擁壁部地盤改良体の背面に接して上下方向に延びる透水層及び前記擁壁部地盤改良体の背面側の水を正面側へ排水する排水管を、前記底部地盤改良体上に構築する工程と、前記擁壁部地盤改良体の法面及び上面並びに前記透水層の上面の保護工を行う工程とからなるので、現場打ちコンクリート方式のような型枠を組み立てる工程、型枠内に鉄筋を配設する工程及び生コンクリート固化後における型枠を解体する工程が不要になる。
【００１６】
その上、プレキャストコンクリートブロック積み上げ方式のような重機によりブロックを吊り上げる工程、並びに、上下左右に積み上げたブロックの上下に連通する空隙内へ配筋する工程及びコンクリートを充填する工程が不要になる。
その上さらに、Ｌ型コンクリートブロック並設方式のような大型の重機によりブロックを吊り上げる工程、及び、隣接する擁壁ブロックを連結金具により連結固定する固定が不要になる。
よって、擁壁の施工方法を簡素化することができるため、擁壁を構築する工期を短縮することができるとともに、施工コストを低減することができる。
【発明を実施するための最良の形態】
【００１７】
次に本発明の実施の形態を添付図面に基づき詳細に説明するが、本発明は、添付図面に示された形態に限定されず特許請求の範囲記載の要件を満たす実施形態の全てを含むものである。なお、本明細書においては、擁壁の背面側から正面側へ向かって（図中矢印Ｆ参照。）、前後左右をいうものとする。
【００１８】
実施の形態１．
図１は本発明の実施の形態１に係る地盤改良体からなる擁壁の構造を示す縦断側面図、図２は同じく正面図、図３は地盤改良体からなる擁壁の施工方法を示す縦断側面図であり、図３（ａ）は底部地盤改良体１上に段状の盛土８Ａを行った状態を、図３（ｂ）は排水管５Ａを布設し、地盤改良体２Ａを形成して裏込め材４を充填した上に段状の盛土８Ｂを行った状態を示している。
【００１９】
図１に示すように、本発明の実施の形態１に係る地盤改良体からなる擁壁は、原地盤Ａに対して切土及び盛土を行って形成され、基礎地盤Ｂの掘下げ部を地盤改良して形成された底部地盤改良体１、底部地盤改良体１上の盛土を地盤改良して形成され、法面Ｓが連続するように順次積み重ねられた上下複数の地盤改良体２Ａ，２Ｂ，…，２Ｅからなる擁壁部地盤改良体２、上下複数の地盤改良体２Ａ，２Ｂ，…，２Ｅの背面側の盛土を掘り下げて、例えば砕石や砂利等からなる裏込め材４を充填して形成された、擁壁部地盤改良体２の背面に接して上下方向に延びる透水層３、透水層３から擁壁部地盤改良体２の法面Ｓまで延び、擁壁部地盤改良体２の背面側の水を正面側へ排水する排水管５、擁壁部地盤改良体２の法面Ｓ及び上面Ｃ並びに透水層３の上面Ｄを保護する、例えばモルタル若しくは客土の吹付け又は植生マット若しくは筵の張付け等である保護部材６からなる。
また、底部地盤改良体１は、略水平板状の下底部地盤改良体１Ａ上に、前面を法面Ｓとした略水平板状の上底部地盤改良体１Ｂを積層しており、基礎地盤Ｂの略水平な地面から上底部地盤改良体１Ｂの上部が露出しているが、底部地盤改良体１はこのような上下の地盤改良体１Ｂ，１Ａからなる構成に限定されるものではなく、さらに底部地盤改良体１の形状も図１に示す構成に限定されるものではない。
【００２０】
図１及び図２に示すように、排水管５は、上下方向及び左右方向に離間して配設されており、すなわち、底部地盤改良体１上の地盤改良体２Ａの下部に、その左右方向に離間して配置された排水管５Ａ，…、地盤改良体２Ａ上の地盤改良体２Ｂの下部に、その左右方向に離間して配置された排水管５Ｂ，…、地盤改良体２Ｂ上の地盤改良体２Ｃの下部に、その左右方向に離間して配置された排水管５Ｃ，…、地盤改良体２Ｃ上の地盤改良体２Ｄの下部に、その左右方向に離間して配置された排水管５Ｄ，…、及び、地盤改良体２Ｄ上の地盤改良体２Ｅの下部に、その左右方向に離間して配置された排水管５Ｅ，…からなる。
【００２１】
また、擁壁部地盤改良体２の上下の地盤改良体２Ｅ，２Ｄ間の接合面、上下の地盤改良体２Ｄ，２Ｃ間の接合面、上下の地盤改良体２Ｃ，２Ｂ間の接合面、上下の地盤改良体２Ｂ，２Ａ間の接合面には、それぞれ、下側の地盤改良体の後部左右に形成された凹部７Ａ，…に上側の地盤改良体の後部左右に形成された凸部７Ｂ，…が係合する、凹凸係合部７，…が形成されていることから、上下の地盤改良体間のずれをより効果的に抑制することができるため、土圧の変動等があっても、長期間にわたって擁壁の形状を安定して保持することができる。
【００２２】
ここで、凹凸係合部７，…に代えて、上下の地盤改良体間の接合面の上下に渡るダボを配設するようにしてもよく、このようなダボを配設する構成の方がその施工が簡素化される。
また、底部地盤改良体１とその上側の地盤改良体２Ａとの接合面に凹凸係合部を形成してもよいし、あるいは、底部地盤改良体１と地盤改良体２Ａとの接合面にその上下に渡るダボを配設してもよい。
なお、上下の地盤改良体間の接合面には摩擦力が作用してずれが抑制されるため、上記凹凸係合部７，…又はダボは必須の構成ではなく、擁壁を構築する場所によっては凹凸係合部７，…又はダボを無くすことができ、このような構成によれば、施工がさらに簡素化される。
【００２３】
次に、図１〜図３を参照して、地盤改良体からなる擁壁の施工方法の詳細について説明する。
基礎地盤Ｂの表層部を所定形状にバックホウによる鋤取り等により掘り下げ、該掘下げにより取った土に、例えば二酸化けい素、酸化アルミニウム、酸化カルシウム及び三酸化イオウ等の成分からなるセメント系固化材等の固化材を添加混合して埋め戻して敷き均し、重機及びローラー等により締め固めることにより、例えば高さが１ｍ程度の下底部地盤改良体１Ａを形成する。
次に、例えば日を改めて（一定の時間をおいて）下底部地盤改良体１Ａを硬化させた後、該下底部地盤改良体１Ａ上に、前記掘下げにより取った土に固化材を添加混合して埋め戻して敷き均し、締め固めることにより、例えば高さが１ｍ程度の上底部地盤改良体１Ｂを形成する。
【００２４】
次に、例えば日を改めて（一定の時間をおいて）上底部地盤改良体１Ｂを硬化させた後、該上底部地盤改良体１Ｂ上に、図３（ａ）に示すように、後側地盤の法面ＳＢから所望の擁壁法面Ｓにわたって前方へ延びる、例えば高さが１ｍ程度の段状の盛土８Ａを行い、該段状の盛土８Ａを上底部地盤改良体１Ｂの上面まで掘り下げ、排水管５Ａ，…を布設した後、前記掘下げにより取った土に固化材を添加混合して埋め戻して敷き均し、締め固めるとともに、例えば土羽打ち等により法勾配を整形することにより地盤改良体２Ａを形成する。
そして、地盤改良体２Ａの背面側の盛土８Ａを掘り下げて裏込め材４を充填する。
なお、排水管５Ａ，…は、地盤改良体２Ａの形成前ではなく、その形成途中において、地盤改良体２Ａの高さ方向の中間位置に布設してもよい。
【００２５】
次に、例えば日を改めて（一定の時間をおいて）地盤改良体２Ａを硬化させた後、該地盤改良体２Ａ上に、図３（ｂ）に示すように、後側地盤の法面ＳＢから所望の擁壁法面Ｓにわたって前方へ延びる、例えば高さが１ｍ程度の段状の盛土８Ｂを行い、上述の工程と同様の作業を行う。
すなわち、段状の盛土８Ｂを地盤改良体２Ａ上面まで掘り下げ、排水管５Ｂ，…を布設した後、前記掘下げにより取った土に固化材を添加混合して埋め戻して敷き均し、締め固めるとともに、法勾配を整形することにより地盤改良体２Ｂを形成し、その背面側の盛土８Ｂを掘り下げて裏込め材４を充填する。
【００２６】
以上のような後側地盤の法面ＳＢから所望の擁壁法面Ｓにわたって前方へ延びる段状の盛土８Ａ，８Ｂ，…を行う工程、段状の盛土８Ａ，８Ｂ，…を下位地盤改良体１，２Ａ，…の上面まで掘り下げる工程、掘下げにより取った土に固化材を添加混合して埋め戻して敷き均し、締め固めるとともに、法勾配を整形することにより上位地盤改良体２Ａ，２Ｂ，…を形成する工程、上位地盤改良体２Ａ，２Ｂ，…の形成前又は形成途中において、その法面Ｓから背面まで延びる排水管５Ａ，…，５Ｂ，…を布設する工程、及び、上位地盤改良体２Ａ，２Ｂ，…の背面側の盛土８Ａ，８Ｂ，…を掘り下げて裏込め材４を充填する工程、を繰り返して、図１に示すように、法面Ｓが連続するように順次積み重ねられた上下複数の地盤改良体２Ａ，２Ｂ，…からなる擁壁部地盤改良体２、擁壁部地盤改良体２の背面に接して上下方向に延びる透水層３及び擁壁部地盤改良体２の背面側の水を正面側へ排水する排水管５を底部地盤改良体１上に構築する。
【００２７】
次に、図１に示すように、擁壁部地盤改良体２の法面Ｓ及び上面Ｃ並びに透水層３の上面Ｄの保護工を行う。すなわち、擁壁部地盤改良体２の法面Ｓ及び上面Ｃ並びに透水層３の上面Ｄに、例えばモルタル若しくは客土の吹付け又は植生マット若しくは筵の張付け等を行う。
【００２８】
以上のような地盤改良体からなる擁壁の施工方法によれば、現場打ちコンクリート方式のような型枠を組み立てる工程、型枠内に鉄筋を配設する工程及び生コンクリート固化後における型枠を解体する工程が不要になる。
また、プレキャストコンクリートブロック積み上げ方式のような重機によりブロックを吊り上げる工程、並びに、上下左右に積み上げたブロックの上下に連通する空隙内へ配筋する工程及びコンクリートを充填する工程が不要になる。
さらに、Ｌ型コンクリートブロック並設方式のような大型の重機によりブロックを吊り上げる工程、及び、隣接する擁壁ブロックを連結金具により連結固定する固定が不要になる。
よって、擁壁の施工方法を簡素化することができるため、擁壁を構築する工期を短縮することができるとともに、施工コストを低減することができる。
【００２９】
実施の形態２．
図４は本発明の実施の形態２に係る地盤改良体からなる擁壁の構造を示す縦断側面図、図５は図４の矢視Ｘ−Ｘ断面図であり、実施の形態１の図１〜図３と同一符号は同一又は相当部分を示している。実施の形態２に係る地盤改良体からなる擁壁は、実施の形態１と同様の方法により施工される。
【００３０】
実施の形態２において、上下複数の地盤改良体２Ａ，２Ｂ，…，２Ｅは、同様の形状であり、図５に示すように、擁壁部地盤改良体２の法面Ｓを形成する前壁状地盤改良体９、及び、前壁状地盤改良体９の背面から後方へ延びる、左右方向に離間する複数の垂直壁状地盤改良体１０，…からなり、平面視略櫛の歯状であるため、左右に隣り合う垂直壁状地盤改良体１０，１０の間の平面視略コ字状部内には盛土８Ｃが残っている。
また、排水管５は、垂直壁状地盤改良体１０，…がある箇所に、擁壁部地盤改良体２の法面Ｓから垂直壁状地盤改良体１０，…の背面に接する透水層３まで届くように布設される。
ここで、前壁状地盤改良体９の前面から垂直壁状地盤改良体１０の後面までの前後方向長さである擁壁部地盤改良体２の奥行きＥと擁壁部地盤改良体２の高さＨとの比（Ｅ／Ｈ）は、０．３〜０．４程度である。
【００３１】
以上のような地盤改良体からなる擁壁の構造によれば、前壁状地盤改良体９の背面から後方へ延びる垂直壁状地盤改良体１０，…が擁壁の前方への倒れを抑制するとともに、擁壁部地盤改良体２の強度と剛性も増加することから、地盤改良体２Ａ，２Ｂ，…，２Ｅを、平面視略櫛の歯状として地盤改良体全体の体積を小さくすることができるため、地盤改良を行う範囲を小さくすることができる。
よって、盛土の掘削範囲及び地盤改良体の量を削減することができるため、実施の形態１の擁壁の構造と比較して、さらに工期の短縮及び施工コストの削減を図ることができる。
【００３２】
実施の形態３．
図６は本発明の実施の形態３に係る地盤改良体からなる擁壁の構造を示す縦断側面図であり、実施の形態１の図１及び実施の形態２の図４と同一符号は同一又は相当部分を示している。実施の形態３に係る地盤改良体からなる擁壁は、実施の形態１と同様の方法により施工される。
【００３３】
実施の形態３において、上下複数の地盤改良体２Ａ，２Ｂ，…，２Ｅは、これらの上下の地盤改良体間の接合面、すなわち地盤改良体２Ａ，２Ｂ間の接合面、地盤改良体２Ｂ，２Ｃ間の接合面、地盤改良体２Ｃ，２Ｄ間の接合面及び地盤改良体２Ｄ，２Ｅ間の接合面を前上がり傾斜面としている。
したがって、上側の地盤改良体がその重力により前上がり傾斜面に沿って背面側へ移動する方向の分力が作用し、より大きな土圧に対抗することができることから、地盤改良体の前後方向の長さを小さくすることができるため、地盤改良を行う範囲を小さくすることができる。
よって、盛土の掘削範囲及び地盤改良体の量を削減することができるため、さらに工期の短縮及び施工コストの削減を図ることができる。
なお、底部地盤改良体１とその上の地盤改良体２Ａとの間の接合面を前上がり傾斜面としてもよい。
【００３４】
以上の説明においては、掘下げにより取った土に、例えば二酸化けい素、酸化アルミニウム、酸化カルシウム及び三酸化イオウ等の成分からなるセメント系固化材等の固化材を添加混合して地盤改良を行う場合について説明したが、前記固化材に、ロックウール繊維、ＰＶＡ繊維、ポリプロピレン繊維又はスチール繊維等の補強繊維（例えば数ｍｍから数十ｍｍ程度の繊維長のもの。）を十分に分散させて混合してもよく、このような補強繊維を用いれば、底部地盤改良体１及び擁壁部地盤改良体２の強度が高くなるため、地盤改良体の量をさらに削減することができる。
よって、盛土の掘削範囲及び地盤改良体の量をさらに削減して、工期の短縮及び施工コストの削減を図ることができる。
【図面の簡単な説明】
【００３５】
【図１】本発明の実施の形態１に係る地盤改良体からなる擁壁の構造を示す縦断側面図である。
【図２】同じく正面図である。
【図３】施工方法を示す縦断側面図であり、（ａ）は底部地盤改良体上に段状の盛土を行った状態を、（ｂ）は排水管を布設し、地盤改良体を形成して裏込め材を充填した上に段状の盛土を行った状態を示している。
【図４】本発明の実施の形態２に係る地盤改良体からなる擁壁の構造を示す縦断側面図である。
【図５】図４の矢視Ｘ−Ｘ断面図である。
【図６】本発明の実施の形態３に係る地盤改良体からなる擁壁の構造を示す縦断側面図である。
【符号の説明】
【００３６】
Ａ  原地盤
Ｂ  基礎地盤
Ｅ  擁壁部地盤改良体の奥行き
Ｓ  法面
ＳＢ  後側地盤の法面
１  底部地盤改良体
２  擁壁部地盤改良体
２Ａ，２Ｂ，２Ｃ，２Ｄ，２Ｅ  地盤改良体
３  透水層
４  裏込め材
５，５Ａ，５Ｂ，５Ｃ，５Ｄ，５Ｅ  排水管
６  保護部材
７  凹凸係合部
８Ａ，８Ｂ，８Ｃ  段状の盛土
９  前壁状地盤改良体
１０  垂直壁状地盤改良体
【図１】
0005146117.tif 000002
【図２】
0005146117.tif 000003
【図３】
0005146117.tif 000004
【図４】
0005146117.tif 000005
【図５】
0005146117.tif 000006
【図６】
0005146117.tif 000007